(57)【要約】【課題】加湿能力を高めて良好に加湿することができ、かついろいろな場所に容易に設置することのできる加湿器を提供することである。【解決手段】水分を含有可能とする吸水性ポリマー５を収容する容器４を備え、この容器４に開口取り付け部６を形成すると共に、通気孔７を形成し、この容器４の開口取り付け部６に着脱自在に嵌合する送風体１０を備え、この送風体１０には内部に電池１８により駆動する送風ファン１３を備えると共に、通気孔１６を形成して、容器４に形成した通気孔７と送風体１０に形成した通気孔１６とにわたって空気流通路を形成し、この空気流通路に沿って送風体１０の送風ファン１３により吸水性ポリマー５に含有した水分を外部に放散する送風式簡易加湿器である。【選択図】　　　図３
2004116908.tif 000002
【特許請求の範囲】
【請求項１】
水分を含有可能とする吸水部材を収容する容器４を備え、この容器４に開口取り付け部６を形成すると共に、通気孔７を形成し、この容器４の開口取り付け部６に着脱自在に嵌合する送風体１０を備え、この送風体１０には内部に電池１８により駆動する送風ファン１３を備えると共に、通気孔１６を形成して、容器４に形成した通気孔７と送風体１０に形成した通気孔１６とにわたって空気流通路を形成し、この空気流通路に沿って送風体１０の送風ファン１３により吸水部材に含有した水分を外部に放散することを特徴とする送風式簡易加湿器。
【請求項２】
水分を含有可能とする吸水部材としては、防黴材を含む水分を粒状の吸水性ポリマー５に含有させたことを特徴とする請求項１記載の送風式簡易加湿器。
【請求項３】
前記送風体１０を容器４の内部に埋没自在にしたことを特徴とする請求項１又は請求項２記載の送風式簡易加湿器。
【請求項４】
前記送風体１０に容器４の内部への突出量を変化可能にした気流調整筒３１を備えたことを特徴とする請求項１又は請求項２記載の送風式簡易加湿器。
【請求項５】
前記容器４を伸縮可能な構造にしたことを特徴とする請求項１又は請求項２記載の送風式簡易加湿器。
【発明の詳細な説明】
【０００１】
【発明の属する技術分野】
本発明は、水分を外部に放散する加湿器に関し、特に、内部に備えた送風ファンにより良好に加湿することができ、かついろいろな場所に容易に設置することのできる送風式簡易加湿器に関する。
【０００２】
【従来の技術】
従来、室内等において加湿する場合、近年、超音波式加湿器が知られていた。しかしながら、この超音波式加湿器は、大型かつ重量が増すため、あるいはコンセント等に接続して供給される電源を必要とするため、その設置する場所がある程度決められた場所になってしまうといったことがあり、非常に使い勝手が悪いといった問題があった。
【０００３】
そこで、使い勝手を良好にするため、簡易式の加湿器が提案されていた。この簡易式の加湿器は、上面に複数の通気孔を形成した容器の内部に水分を含有する粒状の吸水性ポリマーを収容しただけものであり、小型で、かつ電源も必要としないので、容易に持ち運ぶことができ、いろいろな場所に設置して使用することができ、非常に使い勝手が良いものであった。
【０００４】
【発明が解決しようとする課題】
しかしながら、この従来の簡易式の加湿器にあっては、吸水性ポリマーに含有した水分を外部に放散する際、自然に放散するようになるため、その放散量が非常に少なく、すなわち加湿能力が非常に低いといった問題があり、使用時、容易に湿度を上昇させることができず、実用性に少々欠けるといった問題があった。
【０００５】
本発明は、上記の問題に鑑みなされたものであり、加湿能力を高めて良好に加湿することができ、かついろいろな場所に容易に設置することのできる加湿器を提供することを、その課題とするものである。
【０００６】
【課題を解決するための手段】
第１の発明は、水分を含有可能とする吸水部材を収容する容器を備え、この容器に開口取り付け部を形成すると共に、通気孔を形成し、この容器の開口取り付け部に着脱自在に嵌合する送風体を備え、この送風体には内部に電池により駆動する送風ファンを備えると共に、通気孔を形成して、容器に形成した通気孔と送風体に形成した通気孔とにわたって空気流通路を形成し、この空気流通路に沿って送風体の送風ファンにより吸水部材に含有した水分を外部に放散する送風式簡易加湿器である。
【０００７】
第２の発明は、第１の発明において、水分を含有可能とする吸水部材としては、防黴材を含む水分を粒状の吸水性ポリマーに含有させた送風式簡易加湿器である。
【０００８】
第３の発明は、第１又は第２の発明において、送風体を容器の内部に埋没自在にした送風式簡易加湿器である。
【０００９】
第４の発明は、第１又は第２の発明において、送風体に容器の内部への突出量を変化可能にした気流調整筒を備えた送風式簡易加湿器である。
【００１０】
第５の発明は、第１又は第２の発明において、容器を伸縮可能な構造にした送風式簡易加湿器である。
【００１１】
【作　　用】
第１の発明によれば、送風体の送風ファンにより空気流通路に空気の流れを強制的に発生させることができ、容器の内部に収容する吸水部材からの水分を外部に放散することで、加湿能力を高めて良好に加湿することができると共に、送風体の送風ファンの駆動源としては電池を使用することで、容易に持ち運ぶことができ、いろいろな場所に設置して使用することができる。
【００１２】
第２の発明によれば、吸水部材として防黴材を含む水分を含有させた粒状の吸水性ポリマーを使用したことで、吸水性ポリマーへの水の含有量を充分なものにして、この吸水性ポリマーより水分を良好に放散することができ、加湿能力を非常に高めることができる。しかも、吸水性ポリマーに防黴剤を含有したことにより、時間の経過にともなって水中に細菌が繁殖し汚染が発生するのを防止することができ、衛生的にも良好なものにすることができる。
【００１３】
第３の発明によれば、送風体を容器の内部に埋没自在にしたことにより、容器の内部の吸水部材が時間の経過と共に、水分放散を行ないながら徐々に縮小して、その体積が小さくなったとき、送風体の下部を容器の内部に埋没させることで、送風ファンによって発生する空気の流れを吸水部材に近接させて、空気の流れに吸水部材の水分を確実に乗せることができ、時間の経過と共に外部への水分の放散量が減少するのを抑えることができる。
【００１４】
第４の発明によれば、送風体に容器の内部への突出量を変化可能にした気流調整筒を備えたことにより、容器の内部の吸水部材が時間の経過と共に、水分放散を行ないながら徐々に縮小して、その体積が小さくなったとき、送風体の下部より気流調整筒を下方に突出させることで、送風ファンによって発生する空気の流れを吸水部材に近接させて、空気の流れに吸水部材の水分を確実に乗せることができ、時間の経過と共に外部への水分の放散量が減少するのを抑えることができる。
【００１５】
第５の発明によれば、容器を伸縮可能な構造にしたことにより、容器の内部の吸水部材が時間の経過と共に、水分放散を行ないながら徐々に縮小して、その体積が小さくなったとき、容器を縮めることで、送風ファンによって発生する空気の流れを吸水部材に近接させて、空気の流れに吸水部材の水分を確実に乗せることができ、時間の経過と共に外部への水分の放散量が減少するのを抑えることができる。
【００１６】
【発明の実施の形態】
本発明による送風式簡易加湿器の第１の実施形態について説明する。
図１、図２、図３に示すように、上面１と底面２と側面３を有する円形状の容器４を備え、この容器４の内部には水分を含有可能とする吸水部材を収容する。吸水部材としては、例えば、防黴材を含む水分を粒状の吸水性ポリマー５に含有させたものである。
【００１７】
この吸水性ポリマー５としては、架橋ポリアクリル酸塩系、イソブチレン／無水マレイン酸塩系、アクリル酸エステル／酢酸ビニル共重合体のケン化物、デンプン／ポリアクリル酸塩系、ＰＶＡ／ポリアクリル酸塩系、架橋ＰＶＡ系、デンプン／ポリアクリロニトリル重合体の加水分解物などの組成からなる公知のポリマーが挙げられる。
【００１８】
また、この粒状の吸水性ポリマー５にあっては、時間の経過と共に、含有時の球状がそのままの形状で徐々に縮小し、放散していく様子がよくわかり、見た目もきれいで、水分放散の終末にも外観的にきれいなものになる。
【００１９】
なお、吸水性ポリマー５の形状としては粒状以外にも、粉状、ボール状、繊維状、フィルム状などが挙げられ、商品企画に応じて選択して用いることが望ましい。ただし、価格面から選択するならば、粉状及び粒状ポリマーが好ましく、より好ましくは、粒状ポリマー５である。
【００２０】
一方、このように吸水部材を収容する容器４において、上面１の中央には円形状の開口取り付け部６を形成する。また、この上面１の円周方向に等間隔にわたって小円形状の通気孔７を複数形成する。
【００２１】
なお、この容器４に形成する通気孔７にあっては、外気を吸い込むためのものであり、その位置は後述する送風体の送風ファンにおける空気を吸い込む場所の近傍が良い。また、数も１個より複数個が良く、容器４内部の吸水性ポリマー５に均一に外気が接することが好ましく、３個以上が好ましい。また、図４に示すように、容器４の上面に多数の通気孔７を形成するようにしても良い。
【００２２】
さらに、この通気孔７の形状及び大きさについては、吸い込む外気や放散する水分量に合わせれば良く、特に限定されるものではなく、○形、△形、□形、菱形、多角形、細長形等の形状、その大中小の大きさと設計は自由であり、組み合わせも自由である。
【００２３】
なお、この通気孔７同士の間隔等は特に限定されないが、容器４内部の吸水性ポリマー５に外気が均一に接するために等間隔に配置することが好ましい。このように等間隔に配置することで、吸水性ポリマー５中の水分が均一に放散され、また、外観的に表面が平らな状態で減っていくようになる。
【００２４】
そして、この容器４の上部には送風体１０を備え、この送風体１０は、上面１１と側面１２を有し、容器４の上面１に形成する開口取り付け部６より若干大きな大きさの円形状となり、容器４の上面の開口取り付け部６に着脱自在に嵌合する。また、この送風体１０の内部に送風ファン１３を備え、この送風ファン１３は、遠心送風機の一種であるシロッコファンと呼ばれる多翼式送風機であり、回転方向に対して多数の幅の細い羽根１４を円筒状に配置したもので、その回転中心にモータ１５を備えて、このモータ１５により多数の羽根１４を回転させることで、空気を遠心方向に流すようにするものである。
【００２５】
この送風体１０において、側面１２には縦スリット状の通気孔１６を多数形成する。なお、この通気孔１６は外部に空気を放出するためのものである。
【００２６】
また、この送風体１０の上部には箱形状の電池収納部１７を備え、この電池収納部１７の内部に電池１８を収納して、この電池１８によって送風体１０内の送風ファン１３を駆動する。
【００２７】
このような構成にしたことで、容器４の上面１に形成した通気孔７と送風体１０の側面１２に形成した通気孔１６とにわたって空気流通路を形成し、送風体１０の送風ファン１３によって、容器４の通気孔７から外気が吸い込まれて容器４の上面１に形成する開口取り付け部６を介して送風体１０の通気孔１６に向かい、ここから外部に放出される空気の流れが発生する。なお、この空気の流れは図中に矢印で表示する。この空気の流れにより容器４の内部に収容する吸水性ポリマー５より水分を空気流通路に沿って送風体１０の通気孔１６から外部に放散して、加湿するようにしている。
【００２８】
なお、送風体１０が容器４に対して着脱自在に嵌合していることで、送風体１０を取り外したとき、ここに開口取り付け部６が現れるようになり、ここから、水分等を補給することができ、繰り返し何度でも使用することができるようにしている。
【００２９】
また、使用前である商品流通時においては、容器４の上面１等をアルミフィルム等の非通気性フィルムで熱溶着し密封して流通させ、使用時、この非通気性フィルムを剥がして使用する。
【００３０】
なお、前記吸水性ポリマー５について詳しく述べると、粒状ポリマーの粒子径は、８〜６０メッシュの範囲内、好ましくは８〜３２メッシュの範囲である。径が小さくなるに従い前述の通り外観状態が悪化し、径が大きくなるに従い水の含有量が減少、また価格も高くなる問題がある。また、このような範囲内にすると、粒状ポリマーからの水分の放散が均一に行なわれるようになり、水分放散量が変動せず、常に安定して放散される。
【００３１】
また、吸水部材としては、所定量の水を含有した吸水性ポリマー５が、防黴剤を含有したものであるが、具体的には、例えば水に防黴剤を配合し、その水溶液を吸水性ポリマー５に含有させ、ゲル化状態として容器４内に収容されたものである。また、防黴剤を多孔質物質などの担持体に保持したものを吸水性ポリマー５と共存させ、水を加え含有させることもできる。
【００３２】
前記防黴剤としては、例えば安息香酸ナトリウム、ソルビン酸カリウム、デヒドロ酢酸ナトリウム、パラオキシ安息香酸イソブチル、パラオキシ安息香酸イソプロピル、パラオキシ安息香酸エチル、パラオキシ安息香酸ブチル、パラオキシ安息香酸プロピル、プロピオン酸カルシウム、プロピオン酸ナトリウム、塩化ベンザルコニウム、塩化アルキルトリメチルアンモニウム、塩化セチルピリジニウム、グルコン酸クロルヘキシジン、チアベンダゾール、イソチアゾロン、ホウ砂などの公知化合物が挙げられる。水溶性で難（不）揮発性の化合物であれば特に限定されない。
【００３３】
また、使用濃度が高くなると、吸水性ポリマー５への含有量が減少することから、低濃度で防黴効果を発揮する化合物がより好ましい。
【００３４】
防黴剤の使用量は、使用開始時の含有状態で、その含有濃度が０．０５〜０．３０質量％の範囲である。好ましくは、０．１０〜０．２０質量％の範囲である。前記下限濃度未満の場合、防黴効果が弱くなり、また、上限濃度以上については効果として十分であるが、含有量が少なくなる。
【００３５】
以上のようになる送風式簡易加湿器にあっては、送風体１０の送風ファン１３により空気流通路に空気の流れを強制的に発生させることができ、これにより、容器４の内部に収容する吸水性ポリマー５からの水分を外部に放散することで、加湿能力を高めて良好に加湿することができる。しかも、送風体１０の送風ファン１３の駆動源としては電池収納部１７の内部に収納した電池１８であることから、コンセント等に接続して供給される電源も必要としないので、容易に持ち運ぶことができ、いろいろな場所に設置して使用することができ、例えば、コンセント等のない場所においても設置して使用することができ、非常に使い勝手が良く、実用性も良好なものにすることができる。
【００３６】
さらに、吸水部材として防黴材を含む水分を含有させた粒状の吸水性ポリマー５を使用したことで、吸水性ポリマー５への水の含有量を充分なものにして、この吸水性ポリマー５に含有した水分を良好に放散することができ、加湿能力を非常に高めることができる。しかも、吸水性ポリマー５に防黴剤を含有したことにより、時間の経過にともなって水中に細菌が繁殖し汚染が発生するのを防止することができ、気中に放散される水分も細菌の繁殖していない良質なものにすることで、衛生的にも良好なものとして、使用時の安全性の向上を図ることができる。
【００３７】
次に、本発明による送風式簡易加湿器の第２の実施形態について説明する。
図５、図６に示すように、第１の実施形態と同様、上面１と底面２と側面３を有する円形状の容器４を備え、この容器４の内部には水分を含有可能とする防黴材を含む水分を粒状の吸水性ポリマー５である吸水部材を収容し、さらに、容器４において、上面１の中央には円形状の開口取り付け部６を形成すると共に、この上面１の円周方向に等間隔にわたって小円形状の通気孔７を複数形成する。なお、この通気孔７は外部に空気を放出するためのものである。
【００３８】
そして、第１の実施形態と同様、この容器４の上部には送風体１０を備え、この送風体１０は、上面１１と側面１２を有し、容器４の上面１に形成する開口取り付け部６より若干大きな大きさの円形状にして、容器４の上面の開口取り付け部６に着脱自在に嵌合する。また、この送風体１０の内部に送風ファン１３を備え、この送風ファン１３は、プロペラファンと呼ばれる軸流式送風機であり、モータ２１を備えて、このモータ２１の駆動軸にプロペラ状の羽根車２２を配置し、この羽根車２２の回転により空気を軸方向に流すようにするものである。
【００３９】
この送風体１０において、上面１１には通気孔１６を多数形成する。なお、この通気孔１６は外気を吸い込むためのものである。
【００４０】
また、この送風体１０の上部には箱形状の電池収納部１７を備え、この電池収納部１７の内部に電池１８を収納して、この電池１８によって送風体１０内の送風ファン１３を駆動する。
【００４１】
このような構成にしたことで、容器４の上面１に形成した通気孔７と送風体１０の上面１１に形成した通気孔１６とにわたって空気流通路を形成し、送風体１０の送風ファン１３によって、送風体１０の通気孔１６から外気が吸い込まれて容器４の上面１に形成する開口取り付け部６を介して容器４の通気孔７に向かい、ここから外部に放出される空気の流れが発生する。なお、この空気の流れは図中に矢印で表示する。この空気の流れにより容器４の内部に収容する吸水性ポリマー５より水分を空気流通路に沿って容器４の通気孔７から外部に放散して、加湿するようにしている。
【００４２】
以上のようになる送風式簡易加湿器にあっても、第１の実施形態と同様、送風体１０の送風ファン１３により空気流通路に空気の流れを強制的に発生させることができ、これにより、容器４の内部に収容する吸水性ポリマー５からの水分を外部に放散することで、加湿能力を高めて良好に加湿することができる。しかも、送風体１０の送風ファン１３の駆動源としては電池収納部１７の内部に収納した電池１８であることから、コンセント等に接続して供給される電源も必要としないので、容易に持ち運ぶことができ、いろいろな場所に設置して使用することができ、非常に使い勝手が良く、実用性も良好なものにすることができる。
【００４３】
次に、本発明による送風式簡易加湿器の第３の実施形態について説明する。
図７、図８に示すように、基本的には第２の実施形態と同様、水分を含有可能とする吸水性ポリマー５を収容する容器４を備えると共に、この容器４の上部に着脱自在に嵌合する送風体１０を備え、この送風体１０の内部にプロペラファンと呼ばれる軸流式送風機である電池１８により駆動する送風ファン１３を備えるが、この容器４と送風体１０との嵌合部において、第２の実施形態と相違し、図８に示すように、送風体１０が容器４の内部に埋没自在にした構造にしている。
【００４４】
これは、例えば、容器４の嵌合部である開口取り付け部６の内周にネジを形成すると共に、図９に示すように、送風体１０の側面１２の外周にも容器４の開口取り付け部６に形成したネジに合うネジ部２５を形成する。これにより、送風体１０を回転させることで、送風体１０が容器４に対して下降し、すなわち送風体１０の下部が容器４の内部に埋没するようにしている。
【００４５】
このような構成にすることで、容器４の内部に収容した水分を含有した吸水性ポリマー５が時間の経過と共に、水分放散を行ないながら徐々に縮小して、吸水性ポリマー５の体積が小さくなるが、このとき、送風体１０の下部を容器４の内部に埋没させることにより、送風体１０の送風ファン１３を小さくなった吸水性ポリマー５に近接させることができ、送風ファン１３によって発生する空気の流れに吸水性ポリマー５の水分を確実に乗せることができ、時間の経過と共に外部への水分の放散量が減少するのを抑えることができる。
【００４６】
なお、送風体１０の容器４内部への埋没する構造は、前記のものに限定させるものではなく、図１０に示すように、送風体１０の側面１２の外周に上下に移動自在となるリング体２６を備え、このリング体２６を上下に移動することにより、送風体１０を容器４の内部に埋没するようにしても良い。また、送風体１０を容器４の内部に埋没可能とするものなら、構造はどのようなものでも良い。
【００４７】
次に、本発明による送風式簡易加湿器の第４の実施形態について説明する。
この第４の実施形態は、基本的には第１の実施形態と同様、水分を含有可能とする吸水性ポリマー５を収容する容器４を備えると共に、この容器４の上部に着脱自在に嵌合する送風体１０を備え、この送風体１０の内部にシロッコファンと呼ばれる多翼式送風機である電池１８により駆動する送風ファン１３を備えるが、送風体１０において、第１の実施形態と相違し、この送風体１０に容器４の内部への突出量を変化可能にした気流調整筒３１を備える。
【００４８】
これは、図１１、図１２に示すように、送風体１０の下部内周に送風体１０の内周より僅かに小さくなる円筒状の気流調整筒３１を備え、この気流調整筒３１は送風体１０に対して上下に移動して、送風体１０の下部より下方に突出自在にしている。
【００４９】
このような構成にすることで、容器４の内部の吸水性ポリマー５が時間の経過と共に、水分放散を行ないながら徐々に縮小して、吸水性ポリマー５の体積が小さくなったとき、図１３に示すように、送風体１０の下部より気流調整筒３１を下方に突出させることにより、気流調整筒３１を小さくなった吸水性ポリマー５に近接させることができ、送風ファン１３によって発生する空気の流れに吸水性ポリマー５の水分を確実に乗せることができ、時間の経過と共に外部への水分の放散量が減少するのを抑えることができる。
【００５０】
次に、本発明による送風式簡易加湿器の第５の実施形態について説明する。
この第５の実施形態は、基本的には第１や第２の実施形態と同様であるが、容器４の構造において異なるので、ここについて説明すると、容器４にあっては、図１４に示すように、上面１と底面２と側面３を有する円形状の容器であるが、側面３において蛇腹状の構造となり、容器４全体が上下に伸縮可能にしている。
【００５１】
これにより、容器４の内部の吸水性ポリマー５が時間の経過と共に、水分放散を行ないながら徐々に縮小して、吸水性ポリマー５の体積が小さくなったとき、図１５に示すように、容器４を縮めることにより、送風体１０の送風ファン１３を小さくなった吸水性ポリマー５に近接させることができ、送風ファン１３によって発生する空気の流れに吸水性ポリマー５の水分を確実に乗せることができ、時間の経過と共に外部への水分の放散量が減少するのを抑えることができる。
【００５２】
なお、本発明における前述した各実施形態において用いる送風ファン１３として、複数枚の傾斜羽根を駆動軸に放射状に設けたプロペラファンで送風を行う軸流式送風機、駆動軸に平行な方向に多数の羽根を円筒状に設け、駆動軸と直交する方向へ送風を行う多翼式送風機（シロッコファン）等が挙げられるが、風量が大きく、また、送風音が小さい利点があるシロッコファンが好ましい。
【００５３】
そして、本発明の送風式簡易加湿器の使用場面としては、室内の加湿は勿論であるが、コンセント等に接続して供給される商用電源が不要であり、何処でも持ち運びでき、小型かつ軽量であるといった特徴のある加湿器として、自分の身近に置いて適度な湿度や潤いを得ることができ、また、暖房等で乾燥しやすい車内に常備し必要時に使用したり、あるいは美術工芸品等の展示・保管する小空間の湿度を調節したり、さらには乾燥を嫌う動物飼育室を加湿する等、いろいろな場面で使用することができる。
【００５４】
また、前述のような使用場面で水分と一緒に放散することにより、その効果を高めるための放散物質を使用することで、商品用途の拡大、さらには商品価値を高めた加湿器を提供することができる。この放散物質としては、香りを楽しめる香気物質、アロマテラピー効果を有する香気物質、アロマコロジー効果を有する香気物質、またはマイナスイオンを発生する物質等であり、送風によって放散するものである。
【００５５】
【発明の効果】
本発明によれば、送風体の送風ファンにより空気流通路に空気の流れを強制的に発生させることができ、容器の内部に収容する吸水部材からの水分を外部に放散することで、加湿能力を高めて良好に加湿することができる。しかも、送風体の送風ファンの駆動源としては電池を使用することで、容易に持ち運ぶことができ、いろいろな場所に設置して使用することができ、非常に使い勝手が良く、実用性も良好なものにすることができる。
【００５６】
また、本発明によれば、吸水部材として防黴材を含む水分を含有させた粒状の吸水性ポリマーを使用したことで、吸水性ポリマーへの水の含有量を充分なものにして、この吸水性ポリマーより水分を良好に放散することができ、加湿能力を非常に高めることができる。しかも、吸水性ポリマーに防黴剤を含有したことにより、時間の経過にともなって水中に細菌が繁殖し汚染が発生するのを防止することができ、気中に放散される水分も細菌の繁殖していない良質なものにすることで、衛生的にも良好なものとして、使用時の安全性の向上を図ることができる。
【００５７】
さらに、本発明によれば、容器の内部の吸水部材が時間の経過と共に、水分放散を行ないながら徐々に縮小して、その体積が小さくなったとき、送風体の下部を容器の内部に埋没させる、あるいは送風体の下部より気流調整筒を下方に突出させる、あるいは容器を縮めるといった方法により、送風ファンによって発生する空気の流れを吸水部材に近接させて、空気の流れに吸水部材の水分を確実に乗せることができ、時間の経過と共に外部への水分の放散量が減少するのを抑えることができる。
【図面の簡単な説明】
【図１】第１の実施形態の正面図である。
【図２】図１のＡ−Ａ断面図である。
【図３】第１の実施形態の断面図である。
【図４】第１の実施形態の別の例の平面図である
【図５】第２の実施形態の平面図である。
【図６】第２の実施形態の断面図である。
【図７】第３の実施形態の断面図である。
【図８】第３の実施形態の状態を説明した断面図である。
【図９】第３の実施形態における送風体の正面図である。
【図１０】第３の実施形態における他の送風体の正面図である。
【図１１】第４の実施形態における送風体の断面図である。
【図１２】第４の実施形態における送風体の正面図である。
【図１３】第４の実施形態の状態を説明した断面図である。
【図１４】第５の実施形態の正面図である。
【図１５】第５の実施形態の状態を説明した正面図である。
【符号の説明】
１…上面、２…底面、３…側面、４…容器、５…吸水性ポリマー、６…開口取り付け部、７…通気孔、１０…送風体、１１…上面、１２…側面、１３…送風ファン、１４…羽根、１５…モータ、１６…通気孔、１７…電池収納部、１８…電池、２１…モータ、２２…羽根車、２５…ネジ部、２６…リング体、３１…気流調整筒。
【図１】
2004116908.tif 000003
【図２】
2004116908.tif 000004
【図３】
2004116908.tif 000005
【図４】
2004116908.tif 000006
【図５】
2004116908.tif 000007
【図６】
2004116908.tif 000008
【図７】
2004116908.tif 000009
【図８】
2004116908.tif 000010
【図９】
2004116908.tif 000011
【図１０】
2004116908.tif 000012
【図１１】
2004116908.tif 000013
【図１２】
2004116908.tif 000014
【図１３】
2004116908.tif 000015
【図１４】
2004116908.tif 000016
【図１５】
2004116908.tif 000017